(57)【特許請求の範囲】
【請求項１】
踵相当部位について外甲側領域が内甲側領域よりも領域全体として硬く構成されているとともに、
前記踵相当部位のうち、踵相当部位の中心を含む前後方向中間部分については、前記内甲側領域に含まれる内甲側部分が前記外甲側領域に含まれる外甲側部分よりも硬く構成されている靴底。
【請求項２】
前記踵相当部位の中央領域には、踵相当部位の基材よりも軟質の衝撃緩衝部材を嵌装する凹部が形成されているとともに、
前記凹部の輪郭形状が、前記踵相当部位について前記外甲側領域を構成する前記基材の体積が前記内甲側領域を構成する基材の体積よりも大きくなり、且つ、前記前後方向中間部分について前記内甲側部分を構成する基材の体積が前記外甲側部分を構成する基材の体積よりも大きくなる形態で構成されている請求項１記載の靴底。
【請求項３】
前記凹部の壁部には、前記前後方向中間部の前記外甲側部分を構成する基材の体積を小さくするための凸壁部、又は、前後方向中間部分の前記内甲側部分を構成する基材の体積を大きくするための凹壁部、或いは、それらの両方が形成されている請求項２記載の靴底。
【請求項４】
前記凹部の輪郭形状が、滑らかな曲線から構成されている請求項２又は３記載の靴底。
【請求項５】
前記凹部の輪郭形状が、凹形状と凸形状が連続する波型形状に構成されている請求項２〜４のいずれか１項に記載の靴底。
【発明の詳細な説明】
【技術分野】
【０００１】
本発明は、靴底に関し、特に、運動時における着用者の足首などに障害が発生するのを抑止する技術に関する。
【背景技術】
【０００２】
従来、この種の靴底としては、例えば、踵相当部位に軟質の衝撃緩衝部材が嵌挿されたものがある（例えば、下記特許文献１参照）。つまり、この靴底では、運動時に着用者の身体に伝達される衝撃力を衝撃緩衝部材で低減させることで、足首などに障害が発生するのを抑止する。
【０００３】
【特許文献１】特開平７−１６１０４号公報
【発明の開示】
【発明が解決しようとする課題】
【０００４】
ところが、着用者の身体に伝達される衝撃力を低減するだけでは、足首全体について障害の発生をある程度抑止することができるものの、着用者の足裏面での重心移動などの動作に起因する障害としての捻挫、詳しくは、足首を内側に捻って外側の靭帯を傷める内反捻挫や足首を外側に捻って内側の靭帯を傷める外反捻挫については抑止効果が十分とはいえなかった。
【０００５】
本発明は、上述の実情に鑑みて為されたものであって、その主たる課題は、運動中における捻挫の発生を効果的に抑止し得る靴底を提供する点にある。
【課題を解決するための手段】
【０００６】
本発明の第１特徴構成は、靴底に係り、その特徴は、
踵相当部位について外甲側領域が内甲側領域よりも領域全体として硬く構成されているとともに、
前記踵相当部位のうち、踵相当部位の中心を含む前後方向中間部分については、前記内甲側領域に含まれる内甲側部分が前記外甲側領域に含まれる外甲側部分よりも硬く構成されている点にある。
【０００７】
つまり、横方向での動作（例えば、横方法でのステップなどの動作）では、内反捻挫が起こり易いことが知られており、一方、前後方向での動作（例えば、ランニングやウォーキングなどの動作）では、外反捻挫が起こり易いことが知られている。
【０００８】
すなわち、上記特徴構成によれば、踵相当部位について外甲側領域が内甲側領域よりも領域全体として硬く構成されているから、横方向での動作では足裏全体で着地する関係上、踵相当部位の全体に同時に加重がかけられることに対し、内甲側領域よりも領域全体として硬く構成された外甲側領域でもって、着用者の踵部分の外甲側の全体を効果的に支持する形態で、着用者が横方向動作中に足首を内側に捻ることを効果的に抑止することができる。
【０００９】
さらに、前記踵相当部位のうち、踵相当部位の中心を含む前後方向中間部分については、前記内甲側領域に含まれる内甲側部分が前記外甲側領域に含まれる外甲側部分よりも硬く構成されているから、前後方向での動作では踵からつま先にかけて順次に着地する関係上、最初に踵相当部位の中心近傍位置に局部的に加重がかけられることに対し、外甲側部分よりも硬く構成された内甲側部分でもって、着用者の踵部分の内甲側の中心近傍位置を効果的に支持する形態で、着用者が前後方向動作中に足首を外側に捻ることを効果的に抑止することができる。
【００１０】
したがって、運動中における内反捻挫及び外反捻挫の双方を効果的且つ効率的に抑止することができる。
【００１１】
本発明の第２特徴構成は、第１特徴構成の実施に好適な構成であり、その特徴は、
前記踵相当部位の中央領域には、踵相当部位の基材よりも軟質の衝撃緩衝部材を嵌装する凹部が形成されているとともに、
前記凹部の輪郭形状が、前記踵相当部位について前記外甲側領域を構成する前記基材の体積が前記内甲側領域を構成する基材の体積よりも大きくなり、且つ、前記前後方向中間部分について前記内甲側部分を構成する基材の体積が前記外甲側部分を構成する基材の体積よりも大きくなる形態で構成されている点にある。
【００１２】
上記特徴構成によれば、軟質の衝撃緩衝部材の嵌装で踵相当部位において身体側に伝達される衝撃力を低減することができながら、その軟質の衝撃緩衝部材を嵌装するための凹部の輪郭形状の加工という加工性の高い手法でもって、外甲側領域、内甲側領域、外甲側部位、内甲側部位の体積を調整する形態で、踵相当部位について外甲側領域を内甲側領域よりも領域全体として硬く構成し、且つ、踵相当部位のうち、踵相当部位の中心を含む前後方向中間部分については、内甲側部分を外甲側部分よりも硬く構成することができる。
【００１３】
したがって、運動中における内反捻挫及び外反捻挫の双方を一層効果的且つ効率的に抑止することができる。
【００１４】
本発明の第３特徴構成は、第２特徴構成の実施に好適な構成であり、その特徴は、
前記凹部の壁部には、前記前後方向中間部の前記外甲側部分を構成する基材の体積を小さくするための凸壁部、又は、前後方向中間部分の前記内甲側部分を構成する基材の体積を大きくするための凹壁部、或いは、それらの両方が形成されている点にある。
【００１５】
上記特徴構成によれば、前記凹部の壁部に対し前記凸壁部や前記凹壁部を形成するだけの極めて簡単な加工でもって、外甲側領域、内甲側領域、外甲側部位、内甲側部位の体積を調整する形態で、踵相当部位について外甲側領域を内甲側領域よりも領域全体として硬く構成し、且つ、踵相当部位のうち、踵相当部位の中心を含む前後方向中間部分については、内甲側部分を外甲側部分よりも硬く構成することができる。
【００１６】
したがって、運動中における内反捻挫及び外反捻挫の双方をさらに一層効率的に抑止することができる。
【００１７】
本発明の第４特徴構成は、第２又は第３特徴構成の実施に好適な構成であり、その特徴は、
前記凹部の輪郭形状が、滑らかな曲線から構成されている点にある。
【００１８】
上記特徴構成によれば、前記内甲側領域における前記内甲側部分での硬さの変化や前記外甲側領域における前記外甲側部分での硬さの変化を滑らかで自然なものとすることができて、着用者が運動時に違和感を生じるのを効果的に抑止することができる。
【００１９】
本発明の第５特徴構成は、第２〜第４特徴構成のいずれかの実施に好適な構成であり、その特徴は、
前記凹部の輪郭形状が、凹形状と凸形状が連続する波型形状に構成されている点にある。
【００２０】
上記特徴構成によれば、踵相当部位における前記衝撃緩衝部材が嵌装された部分との間での硬さの変化を滑らかで自然なものとすることができて、着用者が運動時に違和感を生じるのを効果的に抑止することができる。
【００２１】
靴底において、踵相当部位について外甲側領域が内甲側領域よりも全体的に硬く構成されているとともに、
前記踵相当部位のうち、前後方向での一部分については、前記内甲側領域に含まれる内甲側部分が前記外甲側領域に含まれる外甲側部分よりも硬く構成されていてもよい。
【００２２】
つまり、横方向での動作（例えば、横方法でのステップなどの動作）では、内反捻挫が起こり易いことが知られており、一方、前後方向での動作（例えば、ランニングやウォーキングなどの動作）では、外反捻挫が起こり易いことが知られている。
【００２３】
すなわち、上記構成によれば、踵相当部位について外甲側領域が内甲側領域よりも領域全体として硬く構成されているから、内甲側領域よりも領域全体として硬く構成された外甲側領域でもって、着用者の踵部分の外甲側を効果的に支持する形態で、着用者が横方向動作中に足首を内側に捻ることを効果的に抑止することができる。
【００２４】
さらに、前記踵相当部位のうち、踵相当部位の中心を含む前後方向中間部分については、前記内甲側領域に含まれる内甲側部分が前記外甲側領域に含まれる外甲側部分よりも硬く構成されているから、外甲側部分よりも硬く構成された内甲側部分でもって、着用者の踵部分の内甲側を効果的に支持する形態で、着用者が前後方向動作中に足首を外側に捻ることを効果的に抑止することができる。
【００２５】
したがって、運動中における内反捻挫及び外反捻挫の双方を効果的且つ効率的に抑止することができる。
【００２６】
靴底において、踵相当部位について内甲側領域が外甲側領域よりも全体的に硬く構成されているとともに、
前記踵相当部位のうち、前後方向での一部分については、前記外甲側領域に含まれる外甲側部分が前記内甲側領域に含まれる内甲側部分よりも硬く構成されていてもよい。
【００２７】
つまり、横方向での動作（例えば、横方法でのステップなどの動作）では、内反捻挫が起こり易いことが知られており、一方、前後方向での動作（例えば、ランニングやウォーキングなどの動作）では、外反捻挫が起こり易いことが知られている。
【００２８】
すなわち、上記構成によれば、踵相当部位について内甲側領域が外甲側領域よりも領域全体として硬く構成されているから、外甲側領域よりも領域全体として硬く構成された内甲側領域でもって、着用者の踵部分の内甲側を効果的に支持する形態で、着用者が前後方向動作中に足首を外側に捻ることを効果的に抑止することができる。
【００２９】
さらに、前記踵相当部位のうち、前後方向の一部分については、前記外甲側領域に含まれる外甲側部分が前記内甲側領域に含まれる内甲側部分よりも硬く構成されているから、内甲側部分よりも硬く構成された外甲側部分でもって、着用者の踵部分の外甲側を効果的に支持する形態で、着用者が横方向動作中に足首を内側に捻ることを効果的に抑止することができる。
【００３０】
したがって、運動中における内反捻挫及び外反捻挫の双方を効果的且つ効率的に抑止することができる。
【発明を実施するための最良の形態】
【００３１】
図１、図２は、靴の一例である右足用のスパイクシューズを示し、このスパイクシューズの靴底Ｋは、ＴＰＵ製のアウトソール１、ＥＶＡ製のミッドソール２、天然皮革や合成皮革、織布、不織布等で製作された甲皮Ｕの底面形成部位３、織布等で比較的硬質に形成された中底４を、その順に下層側から接着剤や縫製により積層接着するとともに、織布製の柔軟なインナーソール６を中底４の上面に積層非接着の状態で敷設して構成されている。
【００３２】
当該靴底Ｋは、図３に示すように、後述するミッドソール１における硬さの調整によって、踵相当部位Ｒの外甲側領域Ｒ１が内甲側領域Ｒ２よりも領域全体として硬く構成されているとともに、踵相当部位Ｒのうちの踵相当部位Ｒの中心Ｃを含む前後方向中間部分ｒ（踵相当部位Ｒのうちの前後方向での一部分の一例）については、内甲側領域Ｒ２に含まれる内甲側部分ｒ２が外甲側領域Ｒ１に含まれる外甲側部分ｒ１よりも硬く構成されている。
【００３３】
前記アウトソール１の底面には、多数の固定スタッド１ａが一体形成されているとともに、アウトソール１の踵相当部位Ｒの中央部位には、上方側（つまり、ミッドソール２の側）に突出する縁部からなる窓孔を透通性ＴＰＵ材で閉塞して構成された窓部１ｂが形成されている。
【００３４】
前記ミッドソール２は、アウトソール１の土踏まず部分から後端にかけての領域に対応する形状で構成されている。当該ミッドソール２の踵相当部位Ｒは、それの中央部位が略同一の厚みで構成されているとともに、それの両側端側及び後端側が上方側にすり鉢状に盛り上がった形態で構成されている。
【００３５】
また、ミッドソール２の両側面部には、ミッドソール２を構成する基材（本例では、ＥＶＡ）よりも硬質のＴＰＵ製の型崩れ防止部材７が貼着されているとともに、ミッドソール２の踵相当部位Ｒの左右方向の中央領域には、ミッドソール２の基材よりも軟質の衝撃緩衝部材５を嵌装するための凹部２Ａが形成されている。
【００３６】
また、前記甲皮Ｕの底面形成部３及び前記中底４のミッドソール２の凹部２Ａに対応する部位には、中底４の上方側から凹部２Ａに対し衝撃緩衝部材５を挿入するための挿入孔３ａ、４ａが形成されている。
【００３７】
そして、前記衝撃緩衝部材５は、前記凹部２Ａの形状に対応する形態（つまり、凹部２Ａの壁部２ａの全面に密着する形態）で構成された嵌装部５ａと、この嵌装部５ａの上端部位において外方向に突出する環状の鍔部５ｂとから構成されている。
【００３８】
つまり、当該衝撃緩衝部材５は、図２に示すように、鍔部５ｂが中底４の挿通孔４ａの周縁部に当て付けられた状態で、且つ、嵌装部５ａが甲皮Ｕの底面形成部３及び中底４の挿入孔３ａ、４ａを通じてミッドソール２の凹部２Ａに嵌装された状態で、インナーソール６の下方に配設されている。
【００３９】
なお、図１、図３に示すように、踵相当部位Ｒとは、靴底Ｋの後端から足長Ｌの約２７％の長さ範囲に含まれる部位を云い、踵相当部位Ｒの中心Ｃとは、靴底Ｋの縦方向中心線Ｓ上における靴底Ｋの後端から足長Ｌの約１７％の長さだけ前側に移動した部位を云う。
【００４０】
また、踵相当部位Ｒの外甲側領域Ｒ１は、踵相当部位Ｒについて前記縦方向中心線Ｓに直交する方向で３等分した外甲側の領域部位を云い、踵相当部位Ｒの内甲側領域Ｒ２は、踵相当部位Ｒについて前記縦方向中心線Ｓに直交する方向で３等分した内甲側の領域部位を云う。
【００４１】
前記ミッドソール２の凹部２Ａの輪郭形状は、図３に示すように、略垂直に形成された壁部２ａから滑らか曲線で凹形状と凸形状とが連続する波型形状の輪郭形状に構成されている。
【００４２】
前記凹部２の壁部２ａには、複数（本例では、４つ）の曲面状の凸壁部２ｂ〜２ｅと、複数（本例では、４つ）の曲面状の凹壁部２ｆ〜２ｉとが形成されており、凸壁部２ｂ〜２ｅと凹壁部２ｆ〜２ｉによるミッドソール２の基材の上面視面積の調整（本例では、外甲側領域Ｒ１と内甲側領域Ｒ２との上面視面積比が約１００対９０となり、且つ、外甲側部位ｒ１と内甲側部位ｒ２との上面視面積の比が約７５対１００となるように調整）で当該基材の体積を調整することにより、踵相当部位Ｒについて外甲側領域Ｒ１を構成する基材の体積が内甲側領域Ｒ２を構成する基材の体積よりも大きく構成され、且つ、前後方向中間部分ｒについて内甲側部分ｒ２を構成する基材の体積が外甲側部分ｒ１を構成する基材の体積よりも大きく構成されている。
【００４３】
踵相当部位Ｒの前後方向中間部分ｒについて詳しく説明すると、凸壁部２ｃにより外甲側部分ｒ１を構成する基材の上面視面積を小さくすることにより当該基材の体積を小さくするとともに、凹壁部２ｉにより内甲側部分Ｒ２を構成する基材の上面視面積を小さくすることにより当該基材の体積（本例では、上面視面積）を大きくしてあり、これにより、前後方向中間部分ｒについて内甲側部分ｒ２を構成する基材の体積が外甲側部分ｒ１を構成する基材の体積よりも大きく構成されている。
【００４４】
つまり、当該スパイクシューズは、靴底Ｋにおける踵相当部位Ｒについて外甲側領域Ｒ１が内甲側領域Ｒ２よりも領域全体として硬く構成されているから、横方向での動作では足裏全体で着地する関係上、踵相当部位Ｒの全体に同時に加重がかけられることに対し、内甲側領域Ｒ２よりも領域全体として硬く構成された外甲側領域Ｒ１でもって、着用者の踵部分の外甲側を効果的に支持する形態で、着用者が横方向動作中に足首を内側に捻ることを効果的に抑止することができる。
【００４５】
さらに、踵相当部位Ｒのうち、踵相当部位Ｒの中心Ｃを含む前後方向中間部分ｒについて、内甲側領域Ｒ２に含まれる内甲側部分ｒ２が外甲側領域Ｒ１に含まれる外甲側部分ｒ１よりも硬く構成されているから、前後方向での動作では踵からつま先にかけて順次に着地する関係上、最初に踵相当部の中心近傍に局部的且つ瞬間的に加重がかけられることに対し、外甲側部分ｒ１よりも硬く構成された内甲側部分ｒ２でもって、着用者の踵部分の中心近傍の内甲側を効果的に支持する形態で、着用者が前後方向動作中に足首を外側に捻ることを効果的に抑止することができ、また、オーバープロネーション（過回内）なども効果的に抑止することができる。
【００４６】
なお、前記凹部２Ａの底面部２ｊには、前述したアウトソール１の窓部１ｂが下方から嵌り込む嵌合孔２ｋが貫通形成されている。そのため、アウトソール１とミッドソール２との接着前の相対移動を抑止することができるとともに、窓部１Ｂを通して靴底Ｋの下方から衝撃緩衝部材５の有無などの目視確認を行うことができる。
【００４７】
［その他の実施形態］
（１）前述の実施形態では、踵相当部位Ｒのうち、前後方向での一部分として、踵相当部位Ｒの中心Ｃを含む前後方向中間部分ｒについて内甲側部分ｒ２が外甲側部分ｒ１よりも硬く構成されている場合を例に示したが、例えば、踵相当部位Ｒの中心Ｃを含まない一部分（例えば、前述の前後方向中間部分の前方側や後方側の部分）について、内甲側部分ｒ２が外甲側部分ｒ１よりも硬く構成されていてもよい。
【００４８】
（２）前述の実施形態では、踵相当部位Ｒについて外甲側領域Ｒ１が内甲側領域Ｒ２よりも領域全体として硬く構成されているとともに、踵相当部位Ｒのうち、前後方向での一部分について、内甲側領域Ｒ２に含まれる内甲側部分ｒ２が外甲側領域Ｒ１に含まれる外甲側部分ｒ１よりも硬く構成されている場合を例に示したが、これとは逆に、踵相当部位Ｒについて内甲側領域Ｒ２が外甲側領域Ｒ１よりも領域全体として硬く構成されているとともに、踵相当部位Ｒのうち、前後方向での一部分について、外甲側領域Ｒ１に含まれる外甲側部分ｒ１が内甲側領域Ｒ２に含まれる内甲側部分ｒ２よりも硬く構成されていてもよい。
【００４９】
この場合、外甲側領域Ｒ１よりも領域全体として硬く構成された内甲側領域Ｒ２でもって、着用者が横方向動作中に足首を外側に捻ることを効果的に抑止するとともに、内甲側部分ｒ２よりも硬く構成された外甲側部分ｒ１でもって、着用者が前後方向動作中に足首を内側に捻ることを効果的に抑止することができ、また、オーバーサビネーション（過回外）なども効果的に抑止することができる。
【００５０】
（３）前述の実施形態では、外甲側領域Ｒ１、内甲側領域Ｒ２、外甲側部位ｒ１、内甲側部位ｒ２の基材の体積を調整することで、外甲側領域Ｒ１、内甲側領域Ｒ２、外甲側部位ｒ１、内甲側部位ｒ２の硬さを調整する場合を例に示したが、例えば、外甲側領域Ｒ１、内甲側領域Ｒ２、外甲側部位ｒ１、内甲側部位ｒ２の基材の素材や厚みを調整することで、外甲側領域Ｒ１、内甲側領域Ｒ２、外甲側部位ｒ１、内甲側部位ｒ２の硬さを調整してもよい。
【００５１】
（４）前述の実施形態では、凹部２Ａの壁部２ａに、外甲側部分ｒ１を構成する基材の体積を小さくするための凸壁部２ｃと、内甲側部分ｒ２を構成する基材の体積を大きくするための凹壁部２ｉの両方を形成することで、内甲側部分ｒ２を構成する基材の体積が外甲側部分ｒ１を構成する基材の体積よりも大きく構成されている場合を例に示したが、凸壁部２ｃと凹壁部２ｉの一方のみを形成することで、内甲側部分ｒ２を構成する基材の体積が外甲側部分ｒ１を構成する基材の体積よりも大きく構成されていてもよい。
【００５２】
（５）前述の実施形態では、靴底Ｋが複層構造である場合を例に示したが、単層構造などであってもよい。
【００５３】
（６）靴底Ｋの具体的構成（例えば、構成材の素材種や形状など）については、前述の実施形態で示した如き構成に限らず、種々の構成変更が可能である。
【００５４】
（７）本発明は、前述の実施形態で示したスパイクシューズに限らず、ランニングシューズやトレッキングシューズ、革靴などの種々の靴に採用することができる。
【図面の簡単な説明】
【００５５】
【図１】スパイクシューズの分解図
【図２】図１のＡ−Ａ線断面図
【図３】ミッドソールの上面図
【符号の説明】
【００５６】
Ｒ          踵相当部位
Ｒ１        外甲側領域
Ｒ２        内甲側領域
Ｃ          踵相当部位の中心
ｒ          前後方向中間部分
ｒ１        外甲側部分
ｒ２        内甲側部分
２Ａ        凹部
２ｃ        凸壁部
２ｉ        凹壁部
【図１】
0004685840.tif 000002
【図２】
0004685840.tif 000003
【図３】
0004685840.tif 000004